(57)【要約】【課題】コイル一体の樹脂封止体を嵌挿するコアステータの切欠き部を加工時のバリの発生を抑止して可動部にする際に異物の侵入を防止する電磁弁を提供。【解決手段】コネクタを嵌挿するコアステータ２５のフランジ２５ａに切欠き部３４を設け、該切欠き部３４の形成面と前記フランジ２５ａの外周面との合わせ面のエッジ両面は切欠き部３４の先端近傍のフランジ２５ａの厚さが薄くなるように側壁面３８ａ、３８ｂの外周部近傍の円周方向に指向するなだらかな傾斜面３５面が形成されている。前記傾斜面または円弧面３５に隣接して傾斜面３６及び該傾斜面３７が連通する平面３７に形成している。【選択図】図２
2008032110.tif 000002
【特許請求の範囲】
【請求項１】
コイルの内周に配設された中空状のコアステータと、
前記コアステータの中空部に嵌挿されたロッドを介して荷重を付勢するアーマチャと、を備え、前記コイルに電気信号を印加されて作動する電磁弁であって、
前記コイルを樹脂材料により封止するボビンに一体になったコネクタを嵌挿する前記コアステータのフランジに切欠き部を設け、前記切欠き部は深さ方向にフランジの厚さが切欠き部の先端が薄くなるように切欠き部に対しフランジ側壁面の外周部近傍のエッジ両面に傾斜面または円弧面が形成されたことを特徴とする比例電磁弁。
【請求項２】
請求項１記載の比例電磁弁において、前記傾斜面または円弧面は隣接して傾斜面及び該傾斜面に連通する平面を形成し、底部のエッジ両面が面取りされたことを特徴とする比例電磁弁。
【発明の詳細な説明】
【技術分野】
【０００１】
本発明は電磁弁に関し、ソレノイドにより弁体に荷重を負荷する電磁弁形式の比例電磁弁に関する。
【背景技術】
【０００２】
従来、この種の比例電磁弁では、リニアソレノイド１０は、ヨーク１１、ステータコア１３、プランジャ１８、コイル２１、非磁性プレート１６等を有する。ヨーク１１およびステータコア１３はステータを構成している。ヨーク１１、ステータコア１３、プランジャ１８は磁性材で形成されている。前記ヨーク１１は、有底円筒状を呈し、ハウジング３１の端部にかしめられることにより、樹脂成形体２２に封止されたコイル２１及びステータコア１３をハウジング３１との間に固定している。
【０００３】
前記ステータコア１３は、プランジャ１８を往復移動自在に収容する収容部１４と、プランジャ１８をスプール側に吸引する磁力を発生する吸引部１５と、フランジ部１９とを有し、一体成形されている。収容部１４の外周壁に円環状の凹部１４ａが形成されている。収容部１４及び吸引部１５は、筒状の周壁を有し、この順で反スプール側からスプール側に向かって同軸上に形成されている。引部１５は、凹部１４ａのスプール側に隣接して形成されるテーパ部１５ａと、収容部１４の内径より小さい内径を有し収容部１４より厚肉の突部１５ｂとからなる。テーパ部１５ａはスプール３０から離れるにしたがって壁厚が薄くなる円筒形状に形成されている。突部１５ｂとテーパ部１５ａとは内径が異なるため、ステータコア１３の内壁面は一段の段差を形成し、この段差によりプランジャ１８のスプール側端面に対向している対向面１３ａが形成されている。フランジ部１９はステータコア１３のスプール側管端部において吸引部１５の外周に形成され、ヨーク１１とハウジング３１により挟持されている。
【０００４】
コイル２１は樹脂成形体２２に封止され、ステータコア１３の外周壁とヨーク１１の内周壁により形成される空間に収容されている。コイル２１と電気的に接続している図示しないターミナルからコイル２１に電流が供給されると、ヨーク１１、プランジャ１８、ステータコア１３によって形成される磁気回路に磁束が流れ、ステータコア１３の吸引部１５とプランジャ１８との間に磁気吸引力が発生する（例えば、特許文献１参照）。
【特許文献１】特開２００２−２４３０５７号公報
【発明の開示】
【発明が解決しようとする課題】
【０００５】
しかしながら、図３に示すように例えば、ステータコア１３のフランジ１３ａにはコイル２１を封止した樹脂成形体２２を嵌挿する切欠き部１３ｂが画成されている。前記ステータコア１３は一般に鍛造加工に形成され、フランジ１３ａの両側面は切削加工により生成される。このとき、フランジ１３ａの両側面と切欠き部１３ｂが形成される合わせ面にバリ（図示しない）が発生する。よって、ステータコア１３の切欠き部１３ｂに発生したバリが樹脂成形体２２を嵌挿する際、その都度、バリを除去する必要があった。バリを除去しないと樹脂成形体２２が切欠き部１３ａに確実に密に挿入できないという問題が発生するからである。
本発明は上記の問題を解決するためになされたもので、ステータコアのフランジに画成する切欠き部にバリが生成されないステータコアを備えた比例電磁弁を提供することを目的とする。
【課題を解決するための手段】
【０００６】
上記の課題を達成するために、請求項１記載の発明はコイルの内周に配設された中空状のコアステータと、
前記コアステータの中空部に嵌挿されたロッドを介して荷重を付勢するアーマチャと、を備え、前記コイルに電気信号を印加されて作動する電磁弁であって、
前記コイルを樹脂材料により封止するボビンに一体になったコネクタを嵌挿する前記コアステータのフランジに切欠き部を設け、前記切欠き部は深さ方向にフランジの厚さが切欠き部の先端が薄くなるように切欠き部に対しフランジ側壁面の外周部近傍のエッジ両面に傾斜面または円弧面が形成されたことを特徴とする。
請求項２記載の発明では、前記傾斜面または円弧面は隣接して傾斜面及び該傾斜面に連通する平面を形成し、底部のエッジ両面が面取りされたことを特徴とする
本発明によれば、コアステータのフランジの切欠き部の加工時に発生するバリを抑制することができ、バリ除去の手間を省くことができるのでコストダウンすることが可能である。また、作動中にバリがフランジより剥離することにより可動部に異物が侵入して動きを悪くすることを防止できる。さらに、コアステータとコイルを樹脂材料により一体成形
する際にバリのかえりがないために、前記コアステータとコイルとの位置決めを安定させることができる。
【発明の効果】
【０００７】
本発明では、コアステータのフランジの切欠き部の加工時に発生するバリを抑制することができ、コストダウンを図ることができる。可動部に異物の侵入を防止するので安定して電磁弁を作動させることができる。
【発明を実施するための最良の形態】
【０００８】
本発明の実施の形態に係る比例電磁弁について図面により詳細に説明する。図１は本発明の実施の形態に係る比例電磁弁１０の概略構造を示す縦断面図である。
比例電磁弁１０は、弁本体を構成するスリーブ１１と、その内部を軸心方向に指向するスプール孔１２内で摺動するスプール１３とから構成されている。スリーブ１１は、スプール１２のほか、軸方向に間隔を置いて形成された４つのポート、すなわちドレーンポート１４、制御ポート１５、供給ポート１６及びフィードバックポート１７を有し、ソレノイド部１８が取付けられる側が拡径され、反対側が薄肉化して縮径された形状とされている。スプール１１は、スプール孔１２を介して連通及び遮断する２つの大径のランド１９，２０及び１つの小径のランド２１を有し、ソレノイド部１８に面する側の軸部先端は半球状とされ、後述するロッド２８との当接部とされている。スリーブ１１のスプール孔１２内の反ソレノイド部側には、ばね部材２２が配設され、該ばね部材２２の一端は、スプール１３の小径のランド２１の凹部に係合され、他端はスリーブ１１の凹部２３に当接させて、圧縮状態に支持されている。
【０００９】
ソレノイド部１８は、拡径部をスリーブ１１の軸心方向一端の拡径部に当接され、ケース２４の内端部のかしめによりスリーブ１１に固定されたコアステータ２５と、前記コアステータ２５の外周に嵌挿可能にケース２４に取付けられたコイル２６と、コアステータ２５の外端に該コアステータ２５と対峙させて配設されたアーマチャ２７と、前記アーマチャ２７にかしめ止め固定されたロッド２８とを、備える。なお、図１において、参照符号２９はコイル２６を図示しない電子制御装置に結線するコネクタプラグのソケットを示す。
【００１０】
コアステータ２５の中空部３０には、ロッド２８を該コアステ−タ２５に摺動自在に支持するブッシュ３１が配設されており、該ブッシュ３１は、コアステータ２５中空部３０内周の両端に嵌合して配設されている。
図２に示すように、コアステータ２５はフランジ２５ａにソケット２９が嵌挿される切欠き部３４が形成されている。前記切欠き部３４は、深さ方向にフランジ２５ａの厚さが切欠き部３４の先端が薄くなるように切欠き部３４に対し深さ方向にフランジ２５ａの側壁面３８ａ、３８ｂの外周部近傍のエッジ両面に傾斜面３５（図２で傾斜面３５は側壁面３８ａのみ表示する）と、前記傾斜面３５に接して傾斜面３６及び該傾斜面３６に連通する平面３７が形成されている。さらに、切欠き部３４の底部のエッジ両面が傾斜面３６に形成されている。なお、傾斜面３５は円弧面にしても勿論よい。また、傾斜面３６は円弧面に形成してもよい。
【００１１】
本発明によれば、コアステータ２５のフランジ２５ａの切欠き部３４にソケット２９を嵌挿してソレノイド部１８を樹脂成形する際、比例電磁弁１０の作動中にバリがフランジ２５より剥離することにより可動部に異物が侵入して動きを悪くすることを防止できる。さらに、コアステータ２５とコイル２６を樹脂材料により一体成形する際にバリのかえりがないために、前記コアステータ２５とコイル２６との位置決めを安定させることができる。
【図面の簡単な説明】
【００１２】
【図１】本発明の実施の形態に係る比例電磁弁の概略構造を示す縦断面図である。
【図２】図１のコアステータの概略構造を示す外形図である。
【図３】従来のコアステータの概略構造を示す外形図で、（Ａ）は正面図を示し、（Ｂ）は側面図を示す。ある。
【符号の説明】
【００１３】
１０  比例電磁弁                        １１  スリーブ
１３  スプール                          １８  ソレノイド部
２５  コアステータ                      ３３  外周面
３４  切欠き部                          ３５  傾斜面
３６  傾斜面                            ３７  平面
【図１】
2008032110.tif 000003
【図２】
2008032110.tif 000004
【図３】
2008032110.tif 000005